(57)【要約】      （修正有）【課題】ディスプレイパネルユニットを選択的に調整できるディスプレイ装置を提供する。【解決手段】支持フレーム２０、及び支持フレーム２０から延びて支持フレーム２０を斜めに支持するレッグ部材３０を備える。筐体を有するディスプレイパネルユニット１０をさらに備え、筐体は、筐体の右側端と支持フレームの右側部との間に取り付けられる第１結合組立体、及び筐体の左側端と支持フレームの左側部との間に取り付けられる第２結合組立体によって支持フレームに移動可能に取り付けられる。【選択図】図１
2014132343.tif 000002
【特許請求の範囲】
【請求項１】
画像が表示されるディスプレイユニットと、
立てられた四角形に形成され、内部に前記ディスプレイユニットが取り付けられる支持フレームと、
を備える、ディスプレイ装置。
【請求項２】
前記支持フレームは、後方側に延びて地面に支持されるレッグを備える、請求項１に記載のディスプレイ装置。
【請求項３】
前記支持フレームは、地面に支持される下部フレームと、前記下部フレームの上側に該下部フレームと平行に間隔を置いて配置される上部フレームと、前記上部フレームの両端と前記下部フレームの両端とを繋ぐ１対の側部フレームと、を含み、前記上部フレームと前記下部フレーム間の距離は、前記ディスプレイユニットの上下幅よりも大きく、前記ディスプレイユニットは前記支持フレーム内に上下に移動可能に取り付けられる、請求項１に記載のディスプレイ装置。
【請求項４】
第１端は前記ディスプレイユニットの両側にそれぞれ取り付けられ、第２端は前記支持フレームの両側にそれぞれ取り付けられる１対の連結軸と、前記支持フレームに取り付けられ、前記１対の連結軸の第２端をそれぞれ上下に移動可能に支持する１対の支持ユニットと、をさらに備える、請求項３に記載のディスプレイ装置。
【請求項５】
前記支持ユニットはそれぞれ、中空のシリンダーと、前記シリンダーに移動可能に取り付けられたロッドを有するガスバネと、を備える、請求項４に記載のディスプレイ装置。
【請求項６】
前記連結軸にそれぞれ軸方向に移動可能に取り付けられたロック部材をさらに備え、
前記支持フレームは、上下に延びており、前記連結軸を上下に移動可能にするガイドスロットと、前記ガイドスロットに前記ロック部材との対応形状に設けられ、前記ロック部材が挿入されるロック溝と、を有する、請求項４に記載のディスプレイ装置。
【請求項７】
上端は前記支持フレームの上部に連結され、下端は前記支持フレームの下部に連結される少なくとも一つのワイヤーをさらに備え、
前記ディスプレイユニットが前記ワイヤーに上下に移動可能に取り付けられる、請求項３に記載のディスプレイ装置。
【請求項８】
前記ディスプレイユニットは、前記支持フレームに前後方にティルト可能に取り付けられる、請求項１に記載のディスプレイ装置。
【請求項９】
第１端は支持フレームに取り付けられ、第２端はディスプレイユニットに回転可能に取り付けられる連結軸と、
前記ディスプレイユニットに設けられ、前記連結軸が回転可能に取り付けられて前記ディスプレイユニットと共に回転するヒンジユニットと、
をさらに備える、請求項８に記載のディスプレイ装置。
【請求項１０】
前記ヒンジユニットは、前記ディスプレイユニットに固定される固定ブラケットと、前記固定ブラケットに取り付けられ、前記連結軸が回転可能に取り付けられるヒンジブラケットと、を有する、請求項９に記載のディスプレイ装置。
【請求項１１】
前記ヒンジユニットは、前記固定ブラケットに前記ヒンジブラケットと並んで取り付けられ、前記ディスプレイユニットの回転を制限するための摩擦部が設けられた摩擦ブラケットと、前記連結軸に固定され、前記連結軸と共に回転しながら前記摩擦部と摩擦する摩擦部材と、前記連結軸に取り付けられ、前記摩擦部材を前記摩擦部に加圧する摩擦バネと、上端は前記摩擦ブラケットの上側に固定され、下端は前記連結軸の下部を弾性支持する支持バネと、を備える、請求項１０に記載のディスプレイ装置。
【請求項１２】
前記支持フレームは、地面に支持される下部フレームと、前記下部フレームの上側に該下部フレームと平行に間隔を置いて配置される上部フレームと、前記上部フレームの両端と前記下部フレームの両端とを繋ぐ１対の側部フレームと、を含み、前記１対の側部フレーム間の距離は、前記ディスプレイユニットの左右幅よりも大きく、前記ディスプレイユニットは前記支持フレーム内に左右に移動可能に取り付ける、請求項１に記載のディスプレイ装置。
【請求項１３】
前記ディスプレイユニットの背面に取り付けられる少なくとも一つの回路基板をさらに備え、
前記少なくとも一つの回路基板は、電源を供給するための電源基板と、画像信号を処理するための信号処理基板と、前記ディスプレイユニットに内蔵されたディスプレイパネルの駆動を制御するパネル駆動基板と、前記ディスプレイユニットに内蔵されたバックライトユニットの駆動を制御するバックライト駆動基板と、を含む、請求項１に記載のディスプレイ装置。
【請求項１４】
第１端は支持フレームに取り付けられ、第２端はディスプレイユニットに回転可能に取り付けられる１対の連結軸と、
前記ディスプレイユニットに取り付けられ、且つ前記連結軸が回転可能に取り付けられて前記ディスプレイユニットと共に回転するヒンジユニットと、
前記支持フレームに設けられ、前記１対の連結軸の第２端をそれぞれ上下に移動可能に支持する１対の支持ユニットと、
前記ヒンジユニットを通って延び、前記支持フレーム内に配設された電子部品と前記回路基板とを接続させる接続ケーブルと、
をさらに備える、請求項１３に記載のディスプレイ装置。
【請求項１５】
前記支持フレームは、
前記接続ケーブルが巻かれるボビンと、
前記ボビンが上下に移動可能に取り付けられるボビンガイドレールと、
前記ボビンを下側から弾性支持する弾性部材と、
を含む、請求項１４に記載のディスプレイ装置。
【発明の詳細な説明】
【技術分野】
【０００１】
本発明は、画像が表示されるディスプレイユニットを支持するための支持フレーム及びこれを備えたディスプレイ装置に関する。
【背景技術】
【０００２】
一般に、テレビのようなディスプレイ装置は、動画が表示されるディスプレイユニットを備えている。
【０００３】
最適の視聴環境を達成するために、ディスプレイユニットは、表示されている画像を使用者が見やすいように一定の高さに配置されなければならない。
【０００４】
ディスプレイユニットを一定の高さに配置するためには、一般に、ディスプレイユニットに連結されたスタンドを介してディスプレイユニットを机や各種の棚などの上面に載せられたり、又は、壁に固定された固定ブラケットにディスプレイユニットを据え付け、壁掛けの形態で使用する必要がある。
【発明の概要】
【発明が解決しようとする課題】
【０００５】
本発明の一側面は、ディスプレイパネルユニットを選択的に調整できるディスプレイ装置を提供する。
【課題を解決するための手段】
【０００６】
本発明の一側面によれば、ディスプレイ装置は、画像が表示されるディスプレイユニットと、四角形（例えば、立てられた四角リング状）に形成され、前記ディスプレイユニットが内部に取り付けられる支持フレームと、を備える。
【０００７】
前記支持フレームは、前記四角形フレーム部材の後方側に延び、該四角形フレーム部材を安定して支持するレッグをさらに備えてもよい。
【０００８】
前記レッグは、該支持フレームの後方下側に傾斜するように延びて地面に支持されるレッグをさらに備えてもよい。
【０００９】
前記レッグは、前記支持フレームの両側から後方下側に延びた１対の延長部と、前記１対の延長部の先端を繋ぎ、地面に支持される支持部と、を備えてもよい。
【００１０】
また、前記レッグは、前記支持フレームに分離可能に取り付けられてもよい。
【００１１】
また、前記支持フレームは、地面に支持される下部フレームと、前記下部フレームの上側に、該下部フレームと平行に間隔を置いて配置される上部フレームと、前記上部フレームの両端と前記下部フレームの両端とを繋ぐ１対の側部フレームと、を備え、前記上部フレームと前記下部フレーム間の距離は、前記ディスプレイユニットの上下幅よりも大きく、前記ディスプレイユニットが前記支持フレーム内に上下に移動可能に取り付けられてもよい。
【００１２】
前記ディスプレイ装置は、第１端は前記ディスプレイユニットの両側にそれぞれ取り付けられ、第２端は前記支持フレームの両側にそれぞれ取り付けられる１対の連結軸と、前記支持フレームに取り付けられ、前記１対の連結軸の第２端をそれぞれ上下に移動可能に支持する１対の支持ユニットと、をさらに備えてもよい。
【００１３】
前記支持ユニットはそれぞれ、中空のシリンダーと、該シリンダーに移動可能に取り付けられたロッドを有するガスバネと、を備えてもよい。
【００１４】
前記ディスプレイ装置は、前記連結軸に軸方向に移動可能に取り付けられたロック部材をさらに備えてもよく、前記支持フレームは、上下に延びており、前記連結軸を上下に移動可能にするガイドスロットと、前記ガイドスロットに前記ロック部材との対応形状に設けられ、前記ロック部材が挿入されるロック溝と、を有するとよい。
【００１５】
前記ディスプレイ装置は、前記連結軸に取り付けられ、前記ロック部材を前記ロック溝に向かって弾性支持するロックバネをさらに備えてもよい。
【００１６】
前記ディスプレイ装置は、上端は前記支持フレームの上部に連結され、下端は前記支持フレームの下部に連結される少なくとも一つのワイヤーをさらに備えてもよく、前記ディスプレイユニットが前記ワイヤーに上下に移動可能に取り付けられるとよい。
【００１７】
前記ディスプレイユニットは、前記支持フレームに前後方にティルト可能に取り付けられてもよい。
【００１８】
前記ディスプレイ装置は、第１端は支持フレームに取り付けられ、第２端はディスプレイユニットに回転可能に取り付けられる連結軸と、前記ディスプレイユニットに取り付けられ、前記連結軸が回転可能に取り付けられて前記ディスプレイユニットと共に回転するヒンジユニットと、をさらに備えてもよい。
【００１９】
前記ヒンジユニットは、前記ディスプレイユニットに固定される固定ブラケットと、前記固定ブラケットに取り付けられ、前記連結軸が回転可能に取り付けられるヒンジブラケットと、を備えるとよい。
【００２０】
前記ヒンジユニットは、前記固定ブラケットに前記ヒンジブラケットと並んで取り付けられ、前記ディスプレイユニットの回転を制限するための摩擦部が設けられた摩擦ブラケットと、前記連結軸に固定され、前記連結軸と共に回転しながら前記摩擦部と摩擦する摩擦部材と、前記連結軸に取り付けられ、前記摩擦部材を前記摩擦部に加圧する摩擦バネと、を備えてもよい。
【００２１】
前記摩擦部材は、１８０°未満の中心角を持つ扇形で形成されるとよい。
【００２２】
前記ヒンジユニットは、上端は前記摩擦ブラケットの連結軸の上側に固定され、下端は前記連結軸の下部を弾性支持する支持バネを備えてもよい。
【００２３】
前記ディスプレイユニットは、前記支持フレームに左右に回転可能に取り付けられるとよい。
【００２４】
前記支持フレームは、地面に支持される下部フレームと、前記下部フレームの上側に該下部フレームと平行に間隔を置いて配置される上部フレームと、前記上部フレームの両端と前記下部フレームの両端とを繋ぐ１対の側部フレームと、を含み、前記１対の側部フレーム間の距離は、前記ディスプレイユニットの左右幅よりも大きく、前記ディスプレイユニットが前記支持フレーム内に左右に移動可能に取り付けられてもよい。
【００２５】
前記支持フレームは複数のサブスピーカーをさらに備えてもよい。前記支持フレームはカメラをさらに備えてもよい。
【００２６】
前記カメラは回転可能に取り付けられ、回転しながら前記支持フレームから突出してもよい。
【００２７】
前記ディスプレイユニットは、該ディスプレイユニットの背面の下部両側に配置された１対のメインスピーカーを備えてもよい。
【００２８】
前記ディスプレイ装置は、信号を入出力するための入出力ユニットをさらに備えてもよい。前記ディスプレイ装置は、前記支持フレームから後方下側に延びて地面に支持されるレッグをさらに備えてもよく、該レッグは、前記支持フレームの両側から後方下側に延びた１対の延長部と、前記１対の延長部の先端を繋ぎ、地面に支持される支持部と、を含み、前記入出力ユニットは、前記支持部に分離可能に取り付けられるとよい。
【００２９】
前記入出力ユニットは前記ディスプレイユニットの背面に取り付けられてもよい。前記入出力ユニットは前記支持フレームに取り付けられてもよい。
【００３０】
前記ディスプレイ装置は、前記ディスプレイユニットの背面に設けられる少なくとも一つの回路基板をさらに備えてもよい。
【００３１】
前記少なくとも一つの回路基板は、電源を供給するための電源基板と、画像信号を処理するための信号処理基板と、前記ディスプレイユニットに内蔵されたディスプレイパネルの駆動を制御するパネル駆動基板と、前記ディスプレイユニットに内蔵されたバックライトユニットの駆動を制御するバックライト駆動基板と、を含むとよい。
【００３２】
前記ディスプレイ装置は、第１端は支持フレームに取り付けられ、第２端はディスプレイユニットに回転可能に取り付けられる連結軸と、前記ディスプレイユニットに取り付けられ、前記連結軸が回転可能に取り付けられて前記ディスプレイユニットと共に回転するヒンジユニットと、前記支持フレームに設けられ、前記１対の連結軸の第２端をそれぞれ上下に移動可能に支持する１対の支持ユニットと、前記ヒンジユニットを通って延び、前記支持フレーム内に配置された電子部品と前記回路基板とを接続させる接続ケーブルと、をさらに備えてもよい。
【００３３】
前記支持フレームは、前記接続ケーブルが巻かれるボビンと、該ボビンが上下に移動可能に取り付けられるボビンガイドレールと、前記ボビンを下側から弾性支持する弾性部材と、を備えてもよい。
【００３４】
前記ディスプレイ装置は、前記ディスプレイユニットから延びたケーブルをさらに備えてもよく、前記１対の延長部の少なくとも一方は、前記ケーブルの一部区間が収容されるケーブル収容溝と、前記ケーブル収容溝を覆うケーブルカバーと、を有するとよい。
【００３５】
前記ディスプレイ装置は、信号を入出力するための入出力ユニットをさらに備えてもよく、前記ケーブルは、外部電源に接続される電源ケーブルと、前記入出力ユニットに接続される入出力ケーブルと、を含むとよい。
【００３６】
本発明の他の側面によれば、支持フレームは、立てられた四角リング状に形成され、且つ画像が表示されるディスプレイユニットが内部に取り付けられる。
【発明の効果】
【００３７】
上述した通り、ディスプレイ装置は、立てられた四角リング状の支持フレームを有しているため、該支持フレームを用いてディスプレイユニットを一定の高さに取り付けることが可能である。
【００３８】
また、ディスプレイユニットが支持フレームに上下に移動可能に取り付けられるため、ディスプレイユニットの高さを容易に調節することが可能である。
【００３９】
また、ディスプレイユニットが支持フレームに回転可能に取り付けられるため、前後方にティルトしたり左右に回転したりすることが可能である。
【図面の簡単な説明】
【００４０】
【図１】本発明の一実施例に係るディスプレイ装置の斜視図である。
【図２】本発明の一実施例に係るディスプレイ装置の分解斜視図である。
【図３】本発明の一実施例に係るディスプレイユニットの分解斜視図である。
【図４】本発明の一実施例に係るディスプレイ装置に適用された電子部品の概略図である。
【図５】本発明の一実施例に係るディスプレイ装置が壁に据え付けられた状態を示す斜視図である。
【図６】本発明の一実施例に係るディスプレイ装置においてディスプレイユニットの上下移動を示す斜視図である。
【図７】本発明の一実施例に係るディスプレイ装置において、ディスプレイユニットの前後方向回転を示す斜視図である。
【図８】本発明の一実施例に係るディスプレイ装置の連結軸及びヒンジユニットの設置状態を示す分解斜視図である。
【図９】本発明の一実施例に係るディスプレイ装置の連結軸及びヒンジユニットの設置状態を示す断面図である。
【図１０】図９のＡ部拡大図である。
【図１１】図１０のＢ−Ｂ線に沿う断面図である。
【図１２】本発明の一実施例に係るディスプレイ装置に適用されたカメラの動作を示す斜視図である。
【図１３】本発明の一実施例に係るディスプレイ装置に適用されたカメラの動作を示す斜視図である。
【図１４】本発明の一実施例に係るディスプレイ装置に適用されたケーブル支持構造を示す斜視図である。
【図１５】本発明の一実施例に係るディスプレイ装置に適用されたケーブル収容構造を示す斜視図である。
【図１６】本発明の他の実施例に係るディスプレイ装置の背面斜視図である。
【図１７】本発明のさらに他の実施例に係るディスプレイ装置の斜視図である。
【図１８】本発明のさらに他の実施例に係るディスプレイ装置の正面図である。
【図１９】本発明のさらに他の実施例に係るディスプレイ装置の背面図である。
【図２０】本発明のさらに他の実施例に係るディスプレイ装置の左側面図である。
【図２１】本発明のさらに他の実施例に係るディスプレイ装置の右側面図である。
【図２２】本発明のさらに他の実施例に係るディスプレイ装置の平面図である。
【図２３】本発明のさらに他の実施例に係るディスプレイ装置の底面図である。
【図２４】本発明のさらに他の実施例に係るディスプレイ装置の背面斜視図である。
【図２５】本発明のさらに他の実施例に係るディスプレイ装置の分解斜視図である。
【図２６】本発明のさらに他の実施例に係るディスプレイ装置においてディスプレイユニットの上下移動を示す正面図である。
【図２７】本発明のさらに他の実施例に係るディスプレイ装置においてディスプレイユニットの上下移動を示す正面図である。
【図２８】本発明のさらに他の実施例に係るディスプレイ装置の前後方回転を示す側面図である。
【図２９】本発明のさらに他の実施例に係るディスプレイ装置の前後方回転を示す側面図である。
【図３０】本発明のさらに他の実施例に係るディスプレイ装置の斜視図である。
【図３１】本発明のさらに他の実施例に係るディスプレイ装置の正面図である。
【図３２】本発明のさらに他の実施例に係るディスプレイ装置の背面図である。
【図３３】本発明のさらに他の実施例に係るディスプレイ装置の側面図である。
【図３４】本発明のさらに他の実施例に係るディスプレイ装置の平面図である。
【図３５】本発明のさらに他の実施例に係るディスプレイ装置の底面図である。
【図３６】本発明のさらに他の実施例に係るディスプレイ装置の分解斜視図である。
【図３７】本発明のさらに他の実施例に係るディスプレイ装置においてディスプレイ装置の上下移動を示す正面図である。
【図３８】本発明のさらに他の実施例に係るディスプレイ装置においてディスプレイ装置の上下移動を示す正面図である。
【図３９】本発明のさらに他の実施例に係るディスプレイ装置に適用された支持フレームの斜視図である。
【図４０】本発明のさらに他の実施例に係るディスプレイ装置に適用された側部フレームの斜視図である。
【図４１】本発明のさらに他の実施例に係るディスプレイ装置の斜視図である。
【図４２】本発明のさらに他の実施例に係るディスプレイ装置の正面図である。
【図４３】本発明のさらに他の実施例に係るディスプレイ装置の背面図である。
【図４４】本発明のさらに他の実施例に係るディスプレイ装置の左側面図である。
【図４５】本発明のさらに他の実施例に係るディスプレイ装置の右側面図である。
【図４６】本発明のさらに他の実施例に係るディスプレイ装置の平面図である。
【図４７】本発明のさらに他の実施例に係るディスプレイ装置の底面図である。
【図４８】本発明のさらに他の実施例に係るディスプレイ装置の平断面図である。
【図４９】本発明のさらに他の実施例に係るディスプレイ装置の分解斜視図である。
【図５０】本発明のさらに他の実施例に係るディスプレイ装置においてディスプレイユニットの左右移動を示す正面図である。
【図５１】本発明のさらに他の実施例に係るディスプレイ装置においてディスプレイユニットの左右移動を示す正面図である。
【図５２】本発明のさらに他の実施例に係るディスプレイ装置においてディスプレイユニットの左右回転を示す斜視図である。
【図５３】本発明のさらに他の実施例に係るディスプレイ装置に適用された支持フレームの斜視図である。
【図５４】本発明のさらに他の実施例に係るディスプレイ装置に適用された支持フレームの正面図である。
【図５５】本発明のさらに他の実施例に係るディスプレイ装置に適用された支持フレームの背面図である。
【図５６】本発明のさらに他の実施例に係るディスプレイ装置に適用された支持フレームの左側面図である。
【図５７】本発明のさらに他の実施例に係るディスプレイ装置に適用された支持フレームの右側面図である。
【図５８】本発明のさらに他の実施例に係るディスプレイ装置に適用された支持フレームの平面図である。
【図５９】本発明のさらに他の実施例に係るディスプレイ装置に適用された支持フレームの底面図である。
【図６０】本発明のさらに他の実施例に係るディスプレイ装置に適用された支持フレームの背面斜視図である。
【発明を実施するための形態】
【００４１】
以下、本発明の一実施例に係るディスプレイ装置を、図面を参照して詳細に説明する。
【００４２】
本発明の一実施例に係るディスプレイ装置、例えばテレビジョン装置は、図１乃至図３に示すように、筐体を有し、画像が表示されるディスプレイユニット１０と、四角形（例えば、立てられた四角リング状）に形成され、内側にディスプレイユニット１０が移動可能に取り付けられた支持フレーム２０と、を備える。本実施例において支持フレーム２０は後方上側に向かって傾斜するように立てられる。
【００４３】
ディスプレイユニット１０は、ディスプレイユニット１０の背面に設けられ、ディスプレイ装置を制御する各種回路基板１１と、ディスプレイユニット１０の背面に回路基板１１を覆うように設けられた背面カバー１２と、ディスプレイユニット１０の下部両側に配設され、音を出力する１対のメインスピーカー１３Ｒ，１３Ｌと、を備える。
【００４４】
回路基板１１は、ディスプレイ装置に電源を供給するための電源基板１１ａと、画像信号を処理するための信号処理基板１１ｂと、ディスプレイユニット１０内に含まれたディスプレイパネル（図示せず）を駆動を制御するためのパネル駆動基板１１ｂ，１１ｃと、ディスプレイユニット１０内に含まれたバックライトユニット（図示せず）の駆動を制御するためのバックライト駆動基板１１ｅと、を備える。
【００４５】
本実施例において、ディスプレイユニット１０は大きい画面を形成できるように合計４枚のディスプレイパネルを含み、パネル駆動基板１１ｃ，１１ｄは、４枚のディスプレイパネルの駆動を制御できるように２枚のパネル駆動基板１１ｃ，１１ｄを含む。２枚のパネル駆動基板１１ｃ，１１ｄのうち、第１パネル駆動基板１１ｃは、ディスプレイユニット１０の上部、すなわち、バックライト駆動基板１１ｅの上側に配置され、上部に位置している２枚のディスプレイパネルの駆動を制御し、第２パネル駆動基板１１ｄは、ディスプレイユニット１０の下部、すなわち、バックライト駆動基板１１ｅの下側に配置され、下部に位置している２枚のディスプレイパネルの駆動を制御する。また、ディスプレイ装置は、ディスプレイユニット１０に外部信号が入力されたり、ディスプレイユニットで発生した各種信号が外部に出力されたりようにするための入出力ユニット８０を備える。入出力ユニット８０は、各種の入出力端子を有しているもので、本実施例において入出力ユニット８０は、後述するレッグ３０に設けられている。
【００４６】
支持フレーム２０は、ディスプレイユニット１０の幅方向に延びており、地面に支持される下部フレーム２１と、ディスプレイユニット１０の幅方向に延びており、下部フレーム２１の上側に下部フレーム２１と平行に離間して配置される上部フレーム２２と、下部フレーム２１の両端と上部フレーム２２の両端とを繋いで支持フレーム２０の両側を形成する１対の側部フレーム２３と、を含む。
【００４７】
また、ディスプレイ装置は、立てられた支持フレーム２０をより安定して保持するためのレッグ３０を備える。レッグ３０は、支持フレーム２０の側部フレーム２３から後方下側に向かって傾斜するように延びて地面に支持され、支持フレーム２０の立てられた状態をより安定して維持する機能を担う。このレッグ３０は、両側部フレーム２３から後方下側に向かってそれぞれ傾斜するように延びた１対の延長部３１と、両延長部３１の先端を互いに繋いでおり、地面に支持される支持部３２と、を含む。
【００４８】
本実施例において、レッグ３０は、支持フレーム２０の側部フレーム２３に分離可能に取り付けられる。そのため、支持フレーム２０からレッグ３０を分離した状態では、図５に示すように、支持フレーム２０とディスプレイユニット１０を壁に据え付けることができ、支持フレーム２０にレッグ３０を取り付けた状態では、図１に示すように、支持フレーム２０を独立して立てて設置することができる。
【００４９】
また、支持フレーム２０の上部フレーム２２と下部フレーム２１間の距離は、ディスプレイユニット１０の上下幅よりも大きく形成され、ディスプレイユニット１０は、図１と図６との比較から確認できるように、支持フレーム２０の内側に上下移動可能に設置され、ディスプレイユニット１０の設置された高さを上下に調節可能になっている。また、ディスプレイユニット１０は、図１と図７との比較から確認できるように、支持フレーム２０の内側に前後回転可能に設置され、ティルト（ｔｉｌｔ）可能になっている。
【００５０】
このようなディスプレイユニット１０の上下移動及び前後回転を案内するべく、ディスプレイユニット１０の両側と支持フレーム２０の両側部フレーム２３とは、図８乃至図１１に示すように、１対の連結組立体にて連結される。
【００５１】
連結組立体は、連結軸４０、支持ユニット５０、及びヒンジユニット６０を有し、ディスプレイユニットを回転させたり上下に移動させられるようになっている。
【００５２】
連結軸４０は、その一端がディスプレイユニット１０に取り付けられ、他端が支持フレーム２０に上下に移動可能に取り付けられるもので、２つの連結軸４０は、ディスプレイユニット１０の両側を支持フレーム２０の両側に設置可能にする。支持フレーム２０の両側内面、すなわち、支持フレーム２０の側部フレーム２３の内側面には、上下に延在しており、連結軸４０が上下に移動可能に取り付けられるガイドスロット２３ａが設けられている。そのため、２つの連結軸４０が、支持フレーム２０の両側に設けられた２つのガイドスロット２３ａに沿って上下移動することによって、両連結軸４０の一端に取り付けられたディスプレイユニット１０は上下に移動するようになる。
【００５３】
支持フレーム２０の２つの側部フレーム２３の内部には支持ユニット５０が配置され、連結軸４０を弾性支持する。本実施例において、支持ユニット５０は、中空のシリンダー５１と、シリンダー５１に移動可能に設けられたロッド５２とを含んでいるガスバネで構成される。また、シリンダー５１の上側には、シリンダー５１の上端に固定され、上述した連結軸４０の他端が固定される固定ブロック５３が設けられている。
【００５４】
シリンダー５１は、支持フレーム２０内に上下に移動可能に設けられ、ロッド５２は、シリンダー５１から下側に突出し、ロッド５２の下端は支持フレーム２０に固定される。シリンダー５１が支持フレーム２０内に移動可能となるようにシリンダー５１の両側にはレール５４が固定され、支持フレーム２０内にはレール５４に対応する形状のレール溝（図示せず）が上下に設けられる。
【００５５】
支持ユニット５０は、ディスプレイユニット１０の荷重に対応する荷重を支持できるように設計される。そのため、ディスプレイユニット１０に上下方向に外力が加えられない限り、ディスプレイユニット１０は、支持ユニット５０により支持されて一定の高さに位置した状態をそのまま維持するが、ディスプレイユニット１０に外力が加えられると、シリンダー５１が上下移動しつつ上下移動するようになる。
【００５６】
また、連結軸４０には軸方向に移動可能にロック部材４１が取り付けられ、支持フレーム２０には、ロック部材４１に対応する形状をしており、ロック部材４１がその位置によって選択的に挿入されるロック溝２３ｂが設けられている。また、連結軸４０には、ロック部材４１をロック溝２３ｂに向かって弾性支持することで、ロック部材４１がロック溝２３ｂに挿入された状態を維持できるようにする弾性部材４２が設けられる。本実施例において、ロック溝２３ｂはガイドスロット２３ａに形成され、複数個が上下に間隔を空けて形成されている。そのため、ディスプレイユニット１０を上下に移動させつつロック部材４１をロック溝２３ｂのいずれかに対応させた後、ロック部材４１を軸方向に移動させつつロック部材４１を対応するロック溝２３ｂに嵌め込む。これにより、連結軸４０の上下移動が制限され、ディスプレイユニット１０は一定位置に位置した状態を維持可能となる。
【００５７】
また、ヒンジユニット６０は、ディスプレイユニット１０を支持フレーム２０に回転可能に設置させるためのものて、上述した２つの連結軸４０がそれぞれ回転可能に取り付けられる１対のヒンジユニット６０を含む。
【００５８】
ヒンジユニット６０は、ディスプレイユニット１０に取り付けられる固定ブラケット６１と、固定ブラケット６１に固定され、連結軸４０が回転可能に設置されるヒンジ部６２ａが設けられたヒンジブラケット６２と、固定ブラケット６１にヒンジブラケット６２と並んで取り付けられ、ディスプレイユニット１０の回転を制限する役割を担う摩擦ブラケット６３と、を備える。本実施例において、ヒンジブラケット６２と摩擦ブラケット６３は固定ブラケット６１に側方からスライディングして結合され、ボルトなどにて固定ブラケット６１と共にディスプレイユニット１０に固定される。
【００５９】
連結軸４０には、連結軸４０と共に回転しつつ摩擦ブラケット６３と摩擦する摩擦部材６４が取り付けられ、摩擦ブラケット６３には摩擦部６４と摩擦する摩擦部６３ａが設けられる。
【００６０】
また、摩擦部材６４が摩擦部６３ａと摩擦できるように、連結軸４０には摩擦部材６４を摩擦部６３ａに向かって加圧する摩擦バネ６５が配置されている。摩擦バネ６５により摩擦部材６４が摩擦部６３ａに加圧されると、摩擦部材６４と摩擦部６３ａ間に作用する摩擦力によりディスプレイユニット１０の回転が制限され、よって、一定以上の外力が加えられない限りディスプレイユニット１０は回転しなくなる。本実施例において摩擦バネ６５は複数のディスクバネで構成されている。
【００６１】
本実施例において、摩擦部材６４は、１８０°未満の中心角を持つ扇状に形成されている。そのため、ディスプレイユニット１０の回転によって摩擦ブラケット６３がディスプレイユニット１０と共に回転しながら、摩擦部材６４の両側辺のいずれか一方に支持され、ディスプレイユニット１０の回転角度は摩擦部材６４により制限される。
【００６２】
またヒンジユニット６０は、連結軸４０を弾性支持する支持バネ６６を備えている。支持バネ６６は、上端が摩擦ブラケット６３の連結軸４０の上側に固定され、下端は連結軸４０の下部に接して連結軸４０の下部を上方に弾性支持する。これにより、ディスプレイユニット１０の荷重が支持バネ６６を介して連結軸４０に支持されるため、ディスプレイユニット１０の自重による回転はさらに安定的に防止される。
【００６３】
また、ヒンジユニット６０は、固定ブラケット６１に固定され、連結軸４０を覆って、連結軸４０が露出することを防止する１対の軸カバー６７，６８を備える。
【００６４】
また、支持フレーム２０は、図４に示すように、ディスプレイユニット１０と連動して動作する各種の電子部品を内蔵している。
【００６５】
支持フレーム２０に内蔵された電子部品としては、ディスプレイユニット１０から電気的な信号を受け取って音を発生させるサブスピーカー２４があり、支持フレーム２０がスピーカーの役割も担えるようになっている。本実施例において、支持フレーム２０の両側、すなわち、側面フレーム２３の両側にはそれぞれ複数のサブスピーカー２４が上下に配置され、ディスプレイユニット１０に設けられたメインスピーカー１３Ｒ、１３Ｌを補助できるようになっている。
【００６６】
さらに、支持フレーム２０は、ディスプレイユニット１０を介して画像通話も行えるようにカメラ２５を備えている。本実施例において、カメラ２５は、図１２及び図１３に示すように、支持フレーム２０の上部フレーム２２の中央側に配置されている。また、カメラ２５は、支持フレーム２０に回転可能に取り付けられ、回転しながら支持フレーム２０から突出するようになっている。そのため、カメラ２５を使用しない時には、図１２に示すように、カメラ２５は支持フレーム２０内に収容されているが、画像通話機能などのためにカメラ２５を使用すべき時には、図１３に示すように、カメラ２５が支持フレーム２０から突出して使用可能となる。
【００６７】
また、支持フレーム２０には、図４に示すように、ディスプレイ装置が無線でインターネット接続可能となるようにＷｉ−Ｆｉモジュール２６が内蔵され、また、ディスプレイ装置が外部機器と無線通信できるようにブルートゥースモジュール２７が内蔵される。本実施例において、Ｗｉ−Ｆｉモジュール２６及びブルートゥースモジュール２７は上部フレーム２２に内蔵されている。
【００６８】
上述したように、支持フレーム２０内にはサブスピーカー２４、カメラ２５、Ｗｉ−Ｆｉモジュール２６及びブルートゥースモジュール２７が組み込まれ、支持部３２には入出力ユニット８０が分離可能に設置される。これらの構成は、各種のケーブルＣ１，Ｃ２，Ｃ３を介して、ディスプレイユニット１０に設けられている回路基板１１に接続される。
【００６９】
ケーブルＣ１，Ｃ２，Ｃ３は、ヒンジユニット６０を通して延在し、ディスプレイユニット１０に設けられた回路基板１１と支持フレーム２０に内蔵されたサブスピーカー２４、カメラ２５、Ｗｉ−Ｆｉモジュール２６及びブルートゥースモジュール２７とを互いに接続させる接続ケーブルＣ１、ディスプレイユニット１０から延在し、外部の電源に接続してディスプレイ装置に電源を供給するための電源ケーブルＣ３、及びディスプレイユニット１０から延在し、回路基板１１と上述の入出力ユニット８０とを接続させる入出力ケーブルＣ２を含む。
【００７０】
特に、接続ケーブルＣ１は、上述した通り、回路基板１１からヒンジユニット６０を通して支持フレーム２０内に延び、支持フレーム２０に設けられたサブスピーカー２４、カメラ２５、Ｗｉ−Ｆｉモジュール２６及びブルートゥースモジュール２７に接続する。
【００７１】
このとき、接続ケーブルＣ１は、ディスプレイユニット１０の上下移動に対応するようにヒンジユニット６０と支持フレーム２０との間で一定の長さだけさらに長く形成されるが、このように接続ケーブルＣ１を長く形成すると、ディスプレイユニット１０が上下移動しながら接続ケーブルＣ１が絡み合うことがある。
【００７２】
この絡み合いを防止するために、支持フレーム２０内には、図１４に示すように、接続ケーブルＣ１が巻かれるボビン２８と、ボビン２８が上下に移動可能に取り付けられるボビンガイドレール２９と、ボビン２８を下方に弾性支持し、ボビン２８が下側に移動した状態を維持できるようにする弾性部材Ｓと、を備える。
【００７３】
この構成では、ディスプレイユニット１０の上下移動と連動してボビン２８がボビンガイドレール２９に沿って上下に移動するから、ボビン２８に巻かれた接続ケーブルＣ１は常に上下方向にまっすぐ伸びた状態を維持し、接続ケーブルが絡み合うことが防止される。
【００７４】
また、上述のケーブルＣ１，Ｃ２，Ｃ３のうち電源ケーブルＣ３及び入出力ケーブルＣ２は、ディスプレイユニット１０から延びているが、電源ケーブルＣ３及び入出力ケーブルＣ２をディスプレイユニット１０からそのまま下方に垂らすとディスプレイ装置の外観品質が低下することがある。
【００７５】
そこで、図１５に示すように、レッグ３０の両延長部３１に、電源ケーブルＣ３及び入出力ケーブルＣ２が収容されるケーブル収容溝３１ａがそれぞれ設けられ、ケーブル収容溝３１ａを覆うケーブルカバー３１ｂが設けられる。そのため、電源ケーブルＣ３及び入出力ケーブルＣ２をケーブル収容溝３１ａに入れた後、ケーブルカバー３１ｂでケーブル収容溝３１ａを覆うことで、電源ケーブルＣ３及び入出力ケーブルＣ２の一部区間は延長部３１内に収容された状態となり、電源ケーブルＣ３及び入出力ケーブルＣ２によるディスプレイ装置の外観品質の低下が予防される。
【００７６】
本実施例において、入出力ユニット８０は、レッグ３０の支持部３２に分離可能に設置されているが、これに限定されず、入出力ユニット８０は、支持フレーム２０に設置されてもよく、図１６に示すように、ディスプレイユニット１０の背面に設置されてもよい。
【００７７】
本実施例において、ディスプレイユニット１０は、４枚のディスプレイパネルを備えており、４枚のディスプレイパネルを駆動するために２枚のパネル駆動基板１１ｂ，１１ｃが設けられているとしたが、これに限定されず、１又は２枚のディスプレイパネルを備えたディスプレイユニットでは、バックライト駆動基板の下側に配置された１枚のパネル駆動基板のみでディスプレイパネルの駆動を制御してもよい。
【００７８】
又は、ディスプレイユニット１０の画面を１枚のディスプレイパネルにより形成し、ディスプレイユニット１０の上部に配置された第１パネル駆動基板１１ｂがディスプレイパネルの上部領域の駆動を制御し、ディスプレイユニット１０の下部に配置された第２パネル駆動基板１１ｃがディスプレイパネルの下部領域の駆動を制御するように構成してもよい。
【００７９】
本実施例において、レッグ３０は、支持フレーム２０から後方下側に向かって傾斜するように延びているが、これに限定されるものではなく、支持フレーム２０の下端から地面に並んで後方側に延びつつ地面に支持される構成にしてもよい。
【００８０】
また、本実施例において、支持フレームは、下部フレーム、上部フレーム及び２つの側部フレームで構成されているが、これに限定されるものではなく、支持フレームは３個のフレームで構成されてもよい。例えば、支持フレームは、上部フレーム、下部フレーム、及び上部フレームと下部フレームの左側端又は右側端を繋ぐ１つの側部フレームで構成されてもよい。
【００８１】
本実施例において、ディスプレイユニット１０は、１対の連結軸４０と１対のヒンジユニット６０を介して支持フレーム２０に回転可能に取り付けられているが、これに限定されず、図１７乃至図２９に示すように、両端が支持フレーム２０に取り付けられた１つの連結軸４０’、及びディスプレイユニット１０の背面に設けられ、連結軸４０に回転可能に取り付けられる１つのヒンジフレーム６０’を用いて、ディスプレイユニット１０が支持フレーム２０に回転可能に設置されるようにしてもよい。
【００８２】
また、本実施例のディスプレイ装置では、２つの連結軸４０に連結された２つの支持ユニット５０を介して、ディスプレイユニット１０が支持フレーム２０に上下に移動可能に取り付けられるが、これに限定されるものではない。例えば、図３０乃至図４０に示すように、上端は支持フレーム２０の上部に連結され、下端は支持フレーム２０の下部に連結されたワイヤー７０にディスプレイユニット１０が上下に移動可能に取り付けられるようにしてもよい。この実施例では、ワイヤー７０はディスプレイユニット１０の幅方向に間隔を置いて配置された１対のワイヤー７０を備え、これら両ワイヤー７０にディスプレイユニット１０の両側が上下に移動可能に取り付けられる。
【００８３】
本実施例において、ディスプレイ装置は、ディスプレイユニット１０が前後方向にティルト可能に支持フレーム２０に設置されているが、これに限定されるものではない。例えば、図４１乃至図５２に示すように、ディスプレイユニット１０が、上下に延びた連結軸４０"、及びディスプレイユニット１０の背面に取り付けられたヒンジブラケット６０"を用いて、支持フレーム２０'内に左右方向に回転可能に設置されるようにしてもよい。また、このような実施例において、支持フレーム２０'の両側部フレーム２３'間の距離は、ディスプレイユニット１０の左右幅よりも大きくし、ディスプレイユニット１０が支持フレーム２０内で左右に移動可能に設置されるようにしてもよい。
【００８４】
本実施例ではディスプレイユニット１０が設置された支持フレーム２０を備えたディスプレイ装置を説明したが、これに限定されず、図５３乃至図６０に示すように、絵や写真のような各種の平面状のものを支持するための支持フレーム２０も本発明の技術思想に含まれ得る。
【００８５】
本発明は上述した実施例に限定されるものではなく、当該技術の分野において通常の知識を有する者にとって、本発明の思想から逸脱しない範囲で様々な修正及び変形が可能であることは明らかであり、それらの修正例又は変形例も本発明の特許請求の範囲に属するといえる。
【符号の説明】
【００８６】
１０    ディスプレイユニット
１１    回路基板
１３    メインスピーカー
２０    支持フレーム
２１    下部フレーム
２２    上部フレーム
２３    側部フレーム
２４    サブスピーカー
２５    カメラ
２６    Ｗｉ−Ｆｉモジュール
２７    ブルートゥースモジュール
３０    レッグ
４０    連結軸
４１    ロック部材
５０    支持ユニット
５１    シリンダー
５２    ロッド
６０    ヒンジユニット
６１    固定フレーム
６２    ヒンジフレーム
６３    摩擦フレーム
６４    摩擦部材
６７    摩擦バネ
７０    ワイヤー 
【図１】
2014132343.tif 000003
【図２】
2014132343.tif 000004
【図３】
2014132343.tif 000005
【図４】
2014132343.tif 000006
【図５】
2014132343.tif 000007
【図６】
2014132343.tif 000008
【図７】
2014132343.tif 000009
【図８】
2014132343.tif 000010
【図９】
2014132343.tif 000011
【図１０】
2014132343.tif 000012
【図１１】
2014132343.tif 000013
【図１２】
2014132343.tif 000014
【図１３】
2014132343.tif 000015
【図１４】
2014132343.tif 000016
【図１５】
2014132343.tif 000017
【図１６】
2014132343.tif 000018
【図１７】
2014132343.tif 000019
【図１８】
2014132343.tif 000020
【図１９】
2014132343.tif 000021
【図２０】
2014132343.tif 000022
【図２１】
2014132343.tif 000023
【図２２】
2014132343.tif 000024
【図２３】
2014132343.tif 000025
【図２４】
2014132343.tif 000026
【図２５】
2014132343.tif 000027
【図２６】
2014132343.tif 000028
【図２７】
2014132343.tif 000029
【図２８】
2014132343.tif 000030
【図２９】
2014132343.tif 000031
【図３０】
2014132343.tif 000032
【図３１】
2014132343.tif 000033
【図３２】
2014132343.tif 000034
【図３３】
2014132343.tif 000035
【図３４】
2014132343.tif 000036
【図３５】
2014132343.tif 000037
【図３６】
2014132343.tif 000038
【図３７】
2014132343.tif 000039
【図３８】
2014132343.tif 000040
【図３９】
2014132343.tif 000041
【図４０】
2014132343.tif 000042
【図４１】
2014132343.tif 000043
【図４２】
2014132343.tif 000044
【図４３】
2014132343.tif 000045
【図４４】
2014132343.tif 000046
【図４５】
2014132343.tif 000047
【図４６】
2014132343.tif 000048
【図４７】
2014132343.tif 000049
【図４８】
2014132343.tif 000050
【図４９】
2014132343.tif 000051
【図５０】
2014132343.tif 000052
【図５１】
2014132343.tif 000053
【図５２】
2014132343.tif 000054
【図５３】
2014132343.tif 000055
【図５４】
2014132343.tif 000056
【図５５】
2014132343.tif 000057
【図５６】
2014132343.tif 000058
【図５７】
2014132343.tif 000059
【図５８】
2014132343.tif 000060
【図５９】
2014132343.tif 000061
【図６０】
2014132343.tif 000062